(57)【要約】  寸法とアスペクト比の異なる初期画像または入力画像を受け取り、操作し、表示する方法である。この方法において、決められたアスペクト比と共通フレームの寸法に従って、操作後画像の寸法が変更され、切り取られ、上記共通フレーム内に一つずつ表示される。上記共通フレーム内における上記操作後画像の表示の切替は、視聴者のスクロールオーバーまたは何等かの指示（あるいは単なるタイミング）に応答して行われる。このプロセスを実行するようプロセッサを設定することができる。
2015535346.tif 000002
【特許請求の範囲】
【請求項１】
（ａ）第1画像と第２画像とを電子的に受け取る工程と、
（ｂ）上記第１画像と第２画像のうち少なくとも一方を、高さと幅の寸法が上記第１画像と第２画像のうちの残りの一方に適合するように操作する工程と、
（ｃ）上記寸法が適合された画像を保存する工程と、
（ｄ）上記寸法が適合された画像の１つを共通フレーム内に表示する工程と、
（ｅ）視聴者の入力に応答して、上記共通フレーム内において、上記寸法が適合された画像の表示を逐次切り替える工程と、
を備えた方法。
【請求項２】
上記視聴者の入力が、
（ｉ）上記共通フレームの一部分にカーソルを重ねること、
（ii）表示された画像の所定の部分に上記カーソルを重ねること、
（iii）上記表示された画像の所定の部分をクリックすること、
（ｉｖ）画像を表示している表示装置を閾値を超えて傾斜させること、
（ｖ）上記表示装置を閾値を超えて振動させること、または
（vi）一連の画像内における所与の画像の位置に対応したキー番号を含む所定のキー打ち込み、
を含むことを特徴とする請求項１に記載の方法。
【請求項３】
上記第１画像と第２画像のうち少なくとも１つを操作する工程が、上記第１画像と第２画像のうち少なくとも１つのアスペクト比の変更を含むことを特徴とする請求項１に記載の方法。
【請求項４】
上記寸法が適合された画像は、上記共通フレームに対応する寸法を有することを特徴とする請求項１に記載の方法。
【請求項５】
上記第１画像と第２画像のうち少なくとも１つを操作する工程が、上記第１画像と第２画像の平均アスペクト比を決めることを含むことを特徴とする請求項１に記載の方法。
【請求項６】
上記第１画像と第２画像のうち少なくとも１つを操作する工程が、操作された上記第１画像と第２画像のうち少なくとも１つのアスペクト比を調整することを含むことを特徴とする請求項１に記載の方法。
【請求項７】
（ａ）第１画像と第２画像のうち、どちらの歪みが大きいかをプロセッサにより同定する工程と、
（ｂ）歪みの大きい方の画像を、残りの画像に対応した標準寸法に合うように操作する工程と、
（ｃ）視聴者からの入力に応答して、操作された画像と残りの画像とを、共通フレーム内に逐次表示する工程、とを備えた方法。
【請求項８】
上記視聴者からの入力が、
（ｉ）上記共通フレームの一部分にカーソルを重ねること、
（ii）表示された画像の所定の部分に上記カーソルを重ねること、
（iii）上記表示された画像の所定の部分をクリックすること、
（ｉｖ）画像を表示している表示装置を閾値を超えて傾斜させること、
（ｖ）上記表示装置を閾値を超えて振動させること、または
（vi）一連の画像内における所与の画像の位置に対応したキー番号を含む所定のキー打ち込み、
を含むことを特徴とする請求項７に記載の方法。
【請求項９】
画像を操作する工程が、上記歪みの大きい方の画像のアスペクト比と所望のアスペクト比との比較を含むことを特徴とする請求項７に記載の方法。
【請求項１０】
上記所望のアスペクト比が上記共通フレームに対応することを特徴とする請求項９に記載の方法。
【請求項１１】
上記操作された画像と残りの画像とを１つのファイルとして保存する工程をさらに備えたことを特徴とする請求項７に記載の方法。
【請求項１２】
上記操作された画像と残りの画像とを別々のファイルとして保存する工程をさらに備えたことを特徴とする請求項７に記載の方法。
【請求項１３】
（ａ）第1画像と第２画像とを電子的に受け取る工程と、
（ｂ）プロセッサを用いて、上記第１画像と第２画像の平均相対高さと平均相対幅とを求める工程と、
（ｃ）上記プロセッサを用いて、所望のアスペクト比を求める工程と、
（ｄ）各画像を、各画像のアスペクト比と上記所望のアスペクト比との比較に対応して、切り取る工程と、
（ｅ）視聴者からの入力に応答して、共通フレーム内に切り取られた画像を逐次表示する工程、とを備えた方法。
【請求項１４】
上記視聴者からの入力が、
（ｉ）上記共通フレームの一部分にカーソルを重ねること、
（ii）表示された画像の所定の部分にカーソルを重ねること、
（iii）上記表示された画像の所定の部分をクリックすること、
（ｉｖ）画像を表示している表示装置を閾値を超えて傾斜させること、
（ｖ）上記表示装置を閾値を超えて振動させること、または
（vi）一連の画像内における所与の画像の位置に対応したキー番号を含む所定のキー打ち込み、
を含むことを特徴とする請求項１３に記載の方法。
【請求項１５】
上記アスペクト比が、高さの幅に対する比であることを特徴とする請求項１３に記載の方法。
【請求項１６】
上記アスペクト比が、幅の高さに対する比であることを特徴とする請求項１３に記載の方法。
【請求項１７】
画像の操作後の高さを、操作後の幅と上記所望のアスペクト比とを掛けることによって決定する工程をさらに備えたことを特徴とする請求項１３に記載の方法。
【請求項１８】
画像の所望の操作後の幅を、所望の操作後の高さを、上記所望のアスペクト比で割ることによって求める工程をさらに備えたことを特徴とする請求項１３に記載の方法。
【請求項１９】
上記平均相対高さが、画像の高さを、画像の高さと画像の幅の合計で割ったものであることを特徴とする請求項１３に記載の方法。
【請求項２０】
上記平均相対幅が、１引く上記平均相対高さであることを特徴とする請求項１３に記載の方法。
【発明の詳細な説明】
【技術分野】
【０００１】
本発明は画像の表示に関し、特に、寸法の異なる画像を受け取り、必要に応じてこれらの画像のうち少なくとも１つを操作し、ユーザ入力に応答する等して、選択的にシーケンシャル（逐次的）に単一の所定のフォーマットで画像を表示することに関する。
【背景技術】
【０００２】
多くのインターネットウェブサイトは、アクセスしてきた他者に見せるために写真を掲載している。こうしたサイトでは、写真の拡大または縮小が可能であることが多い。しかし、１つの写真の提示または表示は、前後の写真とは独立している。
【０００３】
共通フレームの中で容易に表示するために、初期段階で寸法が変更された画像を提示することが求められている。その場合、画像は、共通フレームに一貫性をもって収まるように表示前に操作（manipulate）される。さらに、視聴者が共通フレーム内で所定の画像を表示させるために、閲覧可能な画像を直感的に切り替えられるようにすることが求められている。
【発明の概要】
【０００４】
本開示は、第1画像と第２画像を電子的に受け取る工程と、これらの画像のうちの少なくとも１つを、共通フットプリントに合うようにプロセッサで操作する工程と、上記第1、第２画像のうちの操作された画像と残りの画像を１つずつ、遠隔のディスプレイに表示する工程とを含む方法を提供する。この表示は、上記遠隔のディスプレイで閲覧可能な所与のフレーム内におけるユーザ入力に応答して行われる。  
【０００５】
本方法において、視聴者の入力は以下を含むことができる。（ｉ）所与のフレームの一部分にディスプレイのカーソルを重ねる（合わせる）。（ii）表示された画像の所定の部分にカーソルを重ねる。（iii）表示された画像の所定の部分をクリックする。（ｉｖ）上記画像を表示している表示装置を閾値を超えて傾斜させる。（ｖ）表示装置を閾値を超えて振動させる。（vi）一連の画像内における所与の画像の位置に対応したキー番号を含む所定のキー打ち込み（キーストローク）。
【０００６】
本方法において、画像の操作とは、切り取りとアスペクト比の変更のうち、少なくとも一つを含む。ここで、所与のフレームは、操作された画像と実質的に同一の寸法を有する。
【０００７】
本開示は、第１画像と第２画像を電子的に受け取るように構成されたプロセッサを有する装置を含んでいる。このプロセッサは、これらの画像のうちの少なくとも１つを共通フットプリントに合うように操作し、上記第1画像と第２画像のうちの操作された画像と残りの画像を１つずつ、遠隔のディスプレイで閲覧可能な所与のフレーム内におけるユーザ入力に応答して表示する。
【０００８】
さらなる方法は、第１画像と第２画像のうち、どちらが歪みが大きいかをプロセッサが同定する工程と、歪みの大きい方の画像を標準寸法に合うように操作する工程（この標準寸法は残りの画像に対応する）と、遠隔のディスプレイにおける視聴者からの入力に応答して、操作された画像と残りの画像を逐次（シーケンシャルに）、遠隔のディスプレイの共通フレーム内に表示する工程とを含む。
【０００９】
さらなる方法は、第１画像と第２画像を１つずつ共通フレーム内に表示する工程と、ユーザ入力に応答して、共通フレーム内で第１画像と第２画像の表示を切り替える工程と、（ｉ）ユーザ入力の特徴、（ii）時間、（iii）割り当てられた確率、のいずれか１つに応じて、広告を表示する工程とを含む。
【００１０】
一つの方法においては、ユーザ入力の特徴に基づいて、共通フレームの少なくとも一部分に重なるように、広告を表示することができる。ここで、ユーザ入力とは、（ｉ）第１画像、（ii）第２画像、（iii）第１画像と第２画像との組合せの表示回数である。さらに、この方法は、所定のユーザ入力に応答して、表示された広告を取り除く工程を含んでいてもよい。この方法において、広告は、（ｉ）共通フレーム内に現れる、（ii）共通フレームの少なくとも一部分に重なって現れる、または（iii）フレームの背景画像の一部として現れる。
【００１１】
もう一つの方法が開示されており、この方法は、第１画像と第２画像を電子的に受け取る工程と、この第１画像と第２画像のうち少なくとも１つを高さと幅の寸法が適合するように操作する工程と、この寸法が適合された画像を保存する工程と、この寸法が適合された画像の１つを遠隔のディスプレイにおいて共通フレーム内に表示する工程と、視聴者の入力に応答して、共通フレーム内における寸法が適合された画像の表示を逐次（シーケンシャルに）切り替える工程とを含む。
【００１２】
開示された一つの方法は、第１画像と第２画像を受け取る工程と、この第１画像と第２画像を１つずつ、遠隔のディスプレイにおいて共通フレーム内に表示する工程と、視聴者の入力または時間に応じて、遠隔のディスプレイにおいて共通フレーム内で第１画像と第２画像の表示を切り替える工程とを含む。
【００１３】
開示された一つの方法は、視聴者の入力に応答した共通フレーム内でのシーケンシャル表示のために、埋め込み可能なコードを、共通フレーム、第１画像および第２画像と関連づける工程と、遠隔地での視聴者の入力に応答して、遠隔のディスプレイにおいて共通フレーム内に１つずつ表示するために、ホストコンピュータから第１画像と第２画像を提供する工程とを含む。
【００１４】
本開示はさらに、第1コンピュータで、第２コンピュータにおける埋め込みＵＲＬ（アドレス）からのリクエストを受け取る工程と、第２コンピュータでの視聴者の入力に応答して第２コンピュータの共通フレーム内に表示するために、第２コンピュータから第1コンピュータへ第１画像と第２画像を１つずつ送る工程とを含む。
【００１５】
上記方法は、第1コンピュータで、第２コンピュータにおける埋め込みＵＲＬ（アドレス）からのリクエストを受け取る工程と、第２コンピュータから第1コンピュータへ第１画像と第２画像を送る工程と、第1コンピュータで少なくとも一時的に第１画像と第２画像とを保存する工程と、第２コンピュータで、第１の保存された画像と第２の保存された画像を１つずつ、第２コンピュータでの視聴者からの入力に応答して、共通フレーム内に表示する工程とを含む。
【００１６】
本開示はまた、第１コンピュータで第１画像と第２画像を受け取る工程と、上記第１画像と第２画像のそれぞれを共通フレームの部分と関連づける工程と、第１コンピュータで遠隔にある第２コンピュータの埋め込みＵＲＬ（アドレス）からのリクエストを受け取る工程と、第1コンピュータから第２コンピュータへ第１画像と第２画像とを送る工程と、第２コンピュータで少なくとも一時的に第１画像と第２画像とを保存する工程と、第２コンピュータで、保存された第１画像と保存された第２画像を１つずつ、第２コンピュータでの視聴者からの入力に応答して、共通フレーム内に表示する工程とを含む。
【００１７】
本方法はさらに、第１画像または第２画像のいずれかを第２コンピュータに表示する前に、第２コンピュータに第１画像と第２画像とを保存することを企図している。ここで第２コンピュータは視聴ユーザコンピュータである。    
【００１８】
開示されたもう一つの方法は、第１画像と第２画像を電子的に受け取る工程と、視聴者の入力に応答して、遠隔にあるディスプレイの共通フレーム内に第１画像と第２画像を１つずつ表示する工程とを含む。
【００１９】
本方法では、関連づけられた画像の表示が、共通フレームの第２の所定の領域内における入力に応答してなされる。
【００２０】
これらの方法において、第１画像と第２画像は遠隔のディスプレイでのユーザまたは視聴者へのプレヴュー無しに、逐次閲覧される。さらに、画像を共通フレームのまたは共通フレーム内の所定の位置と関連づけることができ、その所定の位置において視聴者の入力があると、関連づけられた画像を表示することができる。
【００２１】
方法はさらに、複数の画像のうち、最も歪みが小さい画像を同定する工程と、最も歪みが小さい画像のアスペクト比に合うように、残りの画像を操作する工程と、操作後の画像と最も歪みが小さい画像を、遠隔のディスプレイでの視聴者からの入力に応答して、遠隔のディスプレイの共通フレーム内に逐次表示する工程とを含む。
【００２２】
開示された方法は、共通表示フレーム内でスケーリングされた複数の画像を表示する工程と、表示フレームを上記複数の画像の数に対応する複数のセルに分割する工程と、上記複数の画像のそれぞれを対応するセルに関連づける工程と、対応するセル内における視聴者の入力に応答して、実質的に表示フレームを満たすように、上記複数の画像の１つを表示する工程とを含む。
【００２３】
この方法はさらに、セルの数に対応する複数のウィンドウを有するトラッカーバー（tracker bar）を表示する工程を含んでいてよい。これらのウィンドウの１つ内での視聴者の入力が、関連づけられたセルに対応する画像を表示する。
【図面の簡単な説明】
【００２４】
【図１】注釈付きのフローチャートであり、入力画像、選択された操作後パラメータ、および結果として得られた操作後画像を示す。
【００２５】
【図２】注釈付きのフローチャートであり、入力画像、他の操作後パラメータ、および結果として得られた操作後画像を示す。
【００２６】
【図３】注釈付きのフローチャートであり、入力画像および結果として得られた操作後画像を示す。
【００２７】
【図４】注釈付きのフローチャートであり、入力画像および結果として得られた操作後画像を示す。
【００２８】
【図５Ａ】入力画像、操作パラメータ、および結果として得られた操作後画像を示す、注釈付きのフローチャートの前半部分である。
【図５Ｂ】図５Ａに続いて実行される上記フローチャートの後半部分である。
【００２９】
【図６Ａ】入力画像、操作パラメータ、および結果として得られた操作後画像を示す、注釈付きのフローチャートの前半部分である。
【図６Ｂ】図６Ａに続いて実行される上記フローチャートの後半部分である。
【００３０】
【図７Ａ】共通フレーム内における異なる位置のカーソル等のユーザのトリガアクションの結果として得られた、共通フレームにおける一連のシーケンシャル画像の１つである。
【図７Ｂ】同シーケンシャル画像の１つである。
【図７Ｃ】同シーケンシャル画像の１つである。
【図７Ｄ】同シーケンシャル画像の１つである。
【図７Ｅ】同シーケンシャル画像の１つである。
【００３１】
【図８Ａ】共通フレーム内における異なる位置のカーソル等のユーザのトリガアクションの結果として得られた、共通フレームにおける一連のシーケンシャル画像の１つである。この共通フレームはインジケータを含み、トリガのためのカーソルはこのインジケータ内にある。
【図８Ｂ】同シーケンシャル画像の１つである。
【図８Ｃ】同シーケンシャル画像の１つである。
【図８Ｄ】同シーケンシャル画像の１つである。
【図８Ｅ】同シーケンシャル画像の１つである。
【図８Ｆ】同シーケンシャル画像の１つである。
【００３２】
【図９Ａ】共通フレーム内における異なる位置のカーソル等のユーザのトリガアクションの結果として得られた、共通フレームにおける一連のシーケンシャル画像の１つである。この共通フレームはインジケータを含み、トリガのためのカーソルはこのインジケータと位置合わせされるが、インジケータ内にはない。
【図９Ｂ】同シーケンシャル画像の１つである。
【図９Ｃ】同シーケンシャル画像の１つである。
【図９Ｄ】同シーケンシャル画像の１つである。
【図９Ｅ】同シーケンシャル画像の１つである。
【図９Ｆ】同シーケンシャル画像の１つである。
【００３３】
【図１０】ユーザの初期アクションを示すフローチャートである。
【００３４】
【図１１】サーバプロセッサが行うステップを示すフローチャートである。
【００３５】
【図１２】プロセッサによる画像操作の後、視聴者が行うステップを示すフローチャートである。
【００３６】
【図１３】画像の受領、画像の操作および操作された画像の保存においてプロセッサが行うステップを示すフローチャートである。
【００３７】
【図１４】画像の受領、画像の操作および操作された画像の保存においてプロセッサが行うステップを示すフローチャートである。
【００３８】
【図１５】広告を提供する構成において、システムのサーバ側でプロセッサが行うステップ、およびシステムの視聴側で視聴ユーザが行うステップを示すフローチャートである。
【００３９】
【図１６】サーバ側でプロセッサが行う一般的ステップ、および画像提供ユーザが行う一般的ステップを示すフローチャートである。
【００４０】
【図１７】サーバ側でプロセッサが行う一般的ステップ、および視聴ユーザが行う一般的ステップを示すフローチャートである。
【００４１】
【図１８】サーバ側でプロセッサが行う他の一般的ステップ、および画像提供ユーザが行う他の一般的ステップを示すフローチャートである。
【００４２】
【図１９】画像提供ユーザ、サーバプロセッサ、および視聴ユーザの概略図である。
【００４３】
【図２０】画像提供ユーザ、サーバプロセッサ、異なるウェブサイトでユーザが共通フレームを埋め込む遠隔のプロセッサ（リモートプロセッサ）、および視聴ユーザの概略図である。
【００４４】
【図２１】共通フレームと、その共通フレーム内にトリガ領域を提供するための共通フレームの典型的分割を表わす図である。
【００４５】
【図２２】プロセッサが行うステップのフローチャートであり、画像の受領、平均アスペクト比画像操作プロセスにしたがった画像操作および操作された画像の格納または保存を示す。
【００４６】
【図２３】平均アスペクト比画像操作プロセスにしたがった画像操作を示す処理フローチャートである。
【００４７】
【図２４】共通フレームおよび共通フレーム内の画像を表示したディスプレイの概略図である。
【００４８】
【図２５】共通フレームおよび共通フレーム内の画像を表示したディスプレイの概略図であり、共通フレーム内に選択表示のための第２の画像を示す。
【発明を実施するための形態】
【００４９】
本開示は、複数の画像の寸法を適合させ（操作し）、操作後の画像を１つずつ、共通フレーム（表示コンテナ）１００内に表示するものである。そのステップを図１１に示す。
【００５０】
こうして、創作ユーザは様々な画像をアップロードすることができる。これらの画像は、共通フットプリント（表示コンテナ、ウィンドウ、またはフレーム）に合うように操作する。そして、画像の１つを共通フレーム（表示コンテナまたはフットプリント）に表示し、ユーザのスクロールオーバーまたは何らかの指示の提供（または単なるタイミング）により、第２の画像をウィンドウに表示する。  
【００５１】
本明細書中において、プロセッサという用語は、電子入力を受け取り、プログラムに従って一連のステップを実行する電子機器を指し、マイクロプロセッサ、中央処理装置、およびそのようなプロセッサを組み込んだコンピュータを含む。従って、プロセッサの代わりにコンピュータという用語を用いてもよい。コンピュータは、キーボードまたはマウスのような入力装置およびディスプレイまたはモニタを含んでいてもよい。
【００５２】
ディスプレイ２４という用語は、名詞としては、モニタ、コンピュータスクリーン、携帯機器のヴュースクリーンを意味し、ＬＣＤ、ＯＬＥＤ、ＬＥＤ、プラズマ、ＣＲＴを含むが、これに限定されない。動詞としてのディスプレイは、視覚的に呈示することまたは視聴者に見えるようにすることを意味する。
【００５３】
本明細書中において、共通フレーム（または表示コンテナ）という用語は、ディスプレイのドキュメント内の論理区分を意味する。すなわち、共通フレームは、ディスプレイのドキュメント内のエレメントの論理区分である。
【００５４】
本明細書中において、コンピュータ記憶装置という用語は、コンピュータ等で読み取り可能なあらゆるデータ記憶装置を指し、ハードディスク、ハードドライブ、磁気（フロッピー）ディスク、コンパクトディスク、光ディスク、Ｚｉｐドライブおよび磁気テープを含むが、これに限定されない。
【００５５】
本明細書中において、ネットワークという用語は、相互間の通信のために互いに接続された少なくとも２つの装置を意味する。これらの装置は直接接続されていてもよく、イーサネットケーブル、電話線等のケーブルを介して、または無線を介して、中継プロセッサで接続されていてもよい。
【００５６】
図２０を参照すると、１つの構成では、画像提供ユーザがネットワーク３０を介して、サーバ等のプロセッサ２０に複数の画像を提供する。
【００５７】
サーバプロセッサ２０は、コンピュータ記憶装置４０等の記憶装置に接続され、データを選択的に保存または格納できるようになっている。
【００５８】
概略的に言えば、３つのプロセスを用いて、操作された画像５０を表示する。これらのモジュールは以下を含む。
【００５９】
・ダイナミック画像マッチングプロセス；
【００６０】
・トリガアクションに応答して表示された画像を切り替える方法
【００６１】
・埋め込まれたディスプレイの方法
【００６２】
上記ダイナミック画像マッチングプロセスでは、第1画像と第２画像をプロセッサ２０で受け取る。これらの画像のうちの少なくとも１つを、共通フットプリントに合うようにプロセッサで操作し、上記第1、第２画像のうちの操作された画像と残りの画像を、所定フレーム内での視聴者の入力に応答して、１つずつ表示する。
【００６３】
上記ダイナミック画像マッチングプロセスでは、第１のステップは入力画像の獲得または取得である。
【００６４】
図１０を参照すると、入力画像６０は様々な方法で入手可能である。入力画像を獲得する典型的な方法は、以下を含む。
【００６５】
（ｉ）創作ユーザまたは画像提供ユーザが画像６０を自分の装置からアップロードする。この装置は、デジタル画像を獲得することができ（あるいは、画像が別の画像獲得装置から受け取ったものである場合は、少なくとも画像を保存することができ）、その画像をその装置からネットワークを介してサーバプロセッサに電子的に伝送または渡すことのできるいかなる装置であってもよい。
【００６６】
（ii）ユーザが遠隔のサーバ（リモートサーバ）またはホストに保存されたリモート画像６０へのリンクを提供する。この画像はのちにサーバプロセッサによってダウンロード可能である。
【００６７】
（iii）ユーザのコンピュータ、タブレット、電話その他の装置（カメラを備えた装置、または画像獲得装置）で実行されているアプリケーションを用いる。これらの装置のカメラからの視覚入力は、サーバプロセッサまたは本システムの少なくともサーバ側のプロセッサで、画像として保存できる。
【００６８】
（ｉｖ）サーバプロセッサ２０のコンピュータ記憶装置４０等に画像がすでに存在している。
【００６９】
図５、６に示すように、プロセッサ２０は入力された画像を調べて、アスペクト比１：１からの各画像の偏差（deviation）を決定する。具体的には、プロセッサは、各入力画像がアスペクト比１：１からどのくらい外れているかを決定する。
【００７０】
この決定を行う１つの方法を図５に示す。この方法は、プロセッサ２０が各画像の長い方の寸法を短い方の寸法で割る。ある画像の高さが幅の２倍であれば、数値２という結果になる。画像の幅が高さの３倍であれば、数値３という結果になる。画像が完璧な正方形であれば、数値１という結果になる。この長い方の寸法を短い方の寸法で割るという計算の数値が低ければ低いほど、その画像は「歪み」が小さい、または「長尺」の度合いが小さい、またはアスペクト比１：１からの偏差が小さいと言える。
【００７１】
プロセッサが上記とは逆の操作を用いることも可能であることが理解される。この場合、短い方の寸法を長い方の寸法で割ることになるが、この計算の数値が最も高い画像がアスペクト比１：１からの偏差が最も小さい。
【００７２】
プロセッサ２０は、アスペクト比１：１からの偏差が最も小さい画像のアスペクト比を、全入力画像の操作後アスペクト比として設定する。このアスペクト比は、設定された既知の方向性（高さ／幅）または（幅／高さ）を有する。これは、単に長尺度を比較するために最大値または最小値の「偏差比(deviation ratio)」を計算した、前のステップとは異なる。この設定された既知の方向性を有する、決定したアスペクト比に合うように、すべての画像がプロセッサによって操作される。
【００７３】
次のステップでは、プロセッサ２０は、全入力画像から最小高さを決定し、全入力画像から最小幅を決定する。
【００７４】
操作後画像５０の高さまたは幅に、共通フレーム１００の制約のような最大境界がある場合は、これらの境界を記録、あるいは少なくとも一時的に保存する。
【００７５】
次にプロセッサ２０は、最大限に許容される操作後画像高さを、上記高さ境界または全画像からの最小高さのうちのいずれか小さい方になるように決定する。最大高さ境界が定められなかった場合、これは単に全画像のうちの最小高さになる。
【００７６】
次にプロセッサ２０は、最大限に許容される操作後画像幅を、上記幅境界または全画像からの最小幅のうちのいずれか小さい方になるように決定する。最大幅境界が定められなかった場合、これは単に全画像うちの最小幅となる。
【００７７】
操作後画像５０の既知の許容領域および所望のアスペクト比を利用して、プロセッサ２０は、全入力画像のための新しい操作後高さおよび操作後幅を決定する。
【００７８】
上記の全入力画像のための新しい操作後高さおよび操作後幅の決定は、複数の方法で行うことができる。
【００７９】
オプション１は、条件文が先行するシングルパス法である。初めに、プロセッサは、所望の操作後アスペクト比を許容領域のアスペクト比（最大許容操作後高さ／最大許容操作後幅）と比較する。これらアスペクト比が等しい場合、いずれの寸法も等しく制限的であり、一方の寸法をこの件のデフォルトに設定する。
【００８０】
オプション１で、所望のアスペクト比が許容領域のアスペクト比よりも高さが高い場合、高さがより制限的な寸法となる。
【００８１】
このシナリオにおいては、プロセッサ２０は、所望の操作後高さを最大許容高さに設定し、代数計算を使って、所望の操作後幅を求める。例えば、所望の操作後幅＝（所望の操作後高さ）／（所望の高さ／所望の幅）。所望の高さ：幅のアスペクト比は、このプロセスで先に求めた数値であり、「（所望の高さ／所望の幅）」はその値の意味を表わしている。
【００８２】
そうでない場合、オプション１で、幅が制限的寸法となり、プロセッサ２０は、所望の操作後幅を最大許容幅に設定し、代数計算を使って、所望の操作後幅に所望の高さ：幅のアスペクト比を掛けることによって、所望の操作後高さを求める。例えば、所望の操作後高さ＝（所望の操作後幅）×（所望の高さ／所望の幅）となる。
【００８３】
プロセッサ２０が全入力画像について新しい操作後高さおよび操作後幅を決定するための次のオプションは、オプション２―セミダブルパス法であり、オプション１と同じ結果をもたらす。
【００８４】
オプション２では、プロセッサ２０は、単に、所望の操作後高さを最大許容高さに設定し（または設定され）、代数計算を使って、所望の操作後幅を、所望の高さ：幅のアスペクト比で割ることによって求める。例えば、所望の操作後幅＝（所望の操作後高さ）／（所望の高さ／所望の幅）となる。所望の高さ：幅のアスペクト比は、このプロセスで先に求めた数値であり、「（所望の高さ／所望の幅）」はその値の意味を表わしている。
【００８５】
次に、オプション２においては、プロセッサ２０は、代数計算を使って求めた操作後幅が最大許容領域以下であるかをチェックする。適合する場合には、プロセッサ２０は、これらの所望の操作後寸法を保持または保存する。
【００８６】
しかし、オプション２で、代数計算を使って求めた操作後幅が適合しない場合は、プロセッサ２０は、所望の操作後幅を最大許容幅に設定し、代数計算を使って、所望の操作後高さを、所望の操作後幅に所望の高さ：幅のアスペクト比を掛けることによって、所望の操作後高さを求める。例えば、所望の操作後高さ＝（所望の操作後幅）×（所望の高さ／所望の幅）。
【００８７】
次のステップでは、プロセッサは、全ての画像を所望の操作後寸法に合うようにスケーリング（scaling）し、切り取る（cropping）。
【００８８】
スケーリングおよび切り取りの工程において、各画像について、所望のアスペクト比よりも相対的に背が高い場合は、プロセッサは以下を行う。
【００８９】
（ａ）入力画像の領域からサンプリングする。ここで、幅は入力画像の幅であり、高さは、代数計算を使って、画像の幅に所望の高さ：幅のアスペクト比を掛けることによって、求める。例えば、サンプル領域高さ＝サンプル領域幅×（所望の高さ／所望の幅）。サンプリングされなかった高さは、この切り取りで捨てられることが理解される。
【００９０】
（ｂ）サンプル領域の寸法を、所望の操作後寸法に合うように変更する。
【００９１】
上記スケーリングおよび切り取りの工程において、各画像について、所望のアスペクト比よりも相対的に幅が広い場合は、プロセッサは以下を行う。
【００９２】
（ａ）入力画像の領域からサンプルリングする。ここで、高さは入力画像の高さであり、幅は、代数計算を使って、画像の高さを所望の高さ：幅のアスペクト比で割ることによって求める。例えば、サンプル領域の幅＝サンプル領域の高さ／（所望の高さ／所望の幅）。サンプリングされなかった幅は、この切り取りで捨てられる。
【００９３】
（ｂ）サンプル領域の寸法を、所望の操作後寸法に合うように変更する。
【００９４】
スケーリングおよび切り取りの工程において、各画像のアスペクト比が所望のアスペクト比と同じ場合には、プロセッサは以下を行う。
【００９５】
（ａ）入力画像の全領域からサンプリングする。
【００９６】
（ｂ）この領域の寸法を、所望の操作後寸法に合うように変更する。
【００９７】
システムは、画像をコンピュータ記憶装置４０に保存し、後の使用、またはユーザがダウンロードできるようにする。図５に示すように、後の使用、またはユーザがダウンロードできるように画像を保存するためのオプションは、以下を含む。
【００９８】
オプション１では、プロセッサは操作後入力画像の全てを、個別ファイルとしてコンピュータ記憶装置に保存する。
【００９９】
後の使用またはユーザがダウンロードできるように画像を保存するためのオプション２では、図５および図６に記載され、図１〜４に示されるように、プロセッサが操作後入力画像の全てを、１つの大きな画像としてコンピュータ記憶装置４０に保存する。  
【０１００】
このオプション２ではより大きな画像が作成される。この画像の寸法は、理想的には、個別画像の所望の操作後寸法に入力画像数を掛けたものと等しい領域の寸法である。これにより、不要な空白スペース無しに、操作後入力画像の全てを、上記画像にまたはその内部に嵌め込むことが可能となる。所望であれば、大きな画像の内部に、ソースのラベルを付加する等のための付加的空間を提供あるいは組み込むことも考えられる。
【０１０１】
大きな画像の作成後、プロセッサ２０は、寸法変更した／操作後入力画像の全てを、大きなベース画像にコピーする。１つの実施例においては、大きなベース画像にコピーされた各画像は他の画像に隣接する。
【０１０２】
そして、寸法変更した／操作後入力画像の全てを大きなベース画像にコピーした後、満たされたベース画像をコンピュータ記憶装置に保存する。これで、操作後入力画像をすべて含んだ状態になる。
【０１０３】
さらなる構成においては、供給または入力された画像に、平均アスペクト比画像操作プロセスを適用することができる。図２２に示すこの構成では、各入力画像について、プロセッサは平均相対高さを求める。平均相対高さは、画像高さを画像高さと画像幅の合計で割ったもので、平均相対幅は、１引く平均相対高さである。しかし、平均相対幅を求め、平均相対高さを１引く平均相対幅の式から求めることも可能である。
【０１０４】
次に、プロセッサ２０は操作後画像の所望の高さ：幅のアスペクト比を、平均相対高さ割る平均相対幅として求める。こうして、所望の操作後の高さ：幅の比が求められる。  
【０１０５】
プロセッサ２０は、次に、所望の操作後高さ：幅のアスペクト比に対する与えられた画像の高さ：幅のアスペクト比の比較に従って、入力画像の全てを所望の操作後高さ：幅の比に合わせて切り取る。この切り取りにおいて、プロセッサは以下の３つのルールを適用する。
【０１０６】
（ｉ）画像の高さ：幅のアスペクト比が、所望の操作後の高さ：幅のアスペクト比よりも大きい場合、プロセッサ２０は、所望の操作後幅を画像の幅に設定し、所望の操作後高さは、代数計算を使って、操作後幅に所望の高さ：幅のアスペクト比を掛けることによって、求める。例えば、所望の操作後高さ＝（所望の操作後幅）×（所望の（高さ／幅）のアスペクト比）。
【０１０７】
（ii）画像の高さ：幅のアスペクト比が、所望の操作後の高さ：幅のアスペクト比よりも小さい場合、プロセッサ２０は、所望の操作後高さを画像の高さに設定し、所望の操作後幅は、代数計算を使って、所望の操作後高さを所望の高さ：幅のアスペクト比で割ることによって、求める。例えば、所望の操作後幅＝（所望の操作後高さ）／（所望の（高さ／幅）のアスペクト比）。
【０１０８】
（iii）画像の高さ：幅のアスペクト比が、所望の操作後の高さ：幅のアスペクト比と等しい場合、切り取りが寸法に影響を及ぼすことはなく、いずれの経路で切り取りを行っても、同じ操作後画像になる。
【０１０９】
そして、前述のシステムと同様に、操作された画像５０（操作後入力画像）を、個別ファイルとして、または合体して１つの画像ファイルとして、あるいはそれらの組み合わせとして保存する。この組み合わせの場合、いくつかの画像は単一のファイルに保存され、残りの操作後画像は個別ファイルに保存される。
【０１１０】
図２３を参照すると、１組の入力画像６０が、平均アスペクト比画像操作プロセスによって処理される。平均高さ：幅のアスペクト比を、プロセッサによって算出し、各入力画像の高さ：幅のアスペクト比と比較する。そして、図２２のフローチャートに従って、各画像の所望の維持される寸法（高さまたは幅）を決定し、所望の切り取られる寸法（幅または高さ）を、プロセッサによって算出する。
【０１１１】
そして、切り取られた出力画像５０をコンピュータ記憶装置に保存または格納する。
【０１１２】
上述のとおり、そして、図７Ａ〜７Ｅ、図８Ａ〜８Ｆ、および９Ａ〜９Ｆに示すとおり、このシステムは、トリガアクションによる表示画像の切り替えを含む。ここで、トリガアクションとは、ユーザが、画像領域（共通フレーム）１００内、表示コンテナ領域内、あるいは別にセットされてディスプレイと結ばれたオブジェクト上に、マウスポインタを乗せたりクリックしたりすること等である。上記オブジェクトとしては、ディスプレイ２４に見られるような、画像領域、共通フレームまたは表示コンテナの外に配置された「画像切り替え」ボタン等がある。
インジケータ８０を特定の位置に合わせることにより、アクションがトリガされることが理解される。この場合、ユーザがボタンやタッチスクリーンをクリックしたり押したりする必要は一切ない。
あるいは、トリガアクションは、携帯機器iPhone（登録商標）、タブレットiPad（登録商標）等の、方位センサと関連づけられた表示装置の向きを変えることであってもよい。
同様に、トリガアクションは、所定値を超える振動の付与であってもよい。このような振動（運動）モニタリングは、運動および／または加速度センサを有している市販の表示装置にのみ適用可能である。
さらなる構成において、トリガアクションは、所定のキー打ち込み（キーストローク）を含んでいても良い。これは、表示される一連の画像の中の、所定の画像の位置に対応したキーの数字を含む。こうして、各画像５０は数字を割り当てられ、視聴者から数字のリクエストがあると、対応する画像がディスプレイ２４の共通フレーム１００内に表示される。
図７Ａ〜７Ｅ、図８Ａ〜８Ｆ、および９Ａ〜９Ｆに示すとおり、カーソルまたは入力インジケータ８０の位置は、所定の画像５０を共通フレーム１００内に表示させるトリガアクションである。
【０１１３】
共通フレーム内で表示される画像を切り替える方法は、以下を含む。（Ａ）重なり合う画像５０の可視性を切り替える。（Ｂ）複数の画像を含む一つの画像ファイル（別称、画像スプライト）の位置を移動する。（Ｃ）表示される画像のコンテンツを入れ替え、そして、必要があれば、画像をリフレッシュする。（Ｄ）第三者アプリケーションに基づく。
【０１１４】
（Ａ）重なり合う画像５０の可視性を切り替える。ここで、重なり合う画像は、（ｉ）別々の画像ファイルまたは（ii）同一の画像ファイルから表示される異なる部分であってよい。
【０１１５】
可視性の切り替えは、以下によって行うことができる。（ｉ）一番上の画像の可視性をオンに切り替え、下の画像を覆うようにする。（ii）一番上の画像の可視性をオフに切り替え、下の画像が見えるようにする。（iii）両方の画像の可視性を、一方がオンの時は他方がオフになるように切り替える。
【０１１６】
（Ｂ）複数の画像を含む一つの画像ファイル（別称、画像スプライト）の位置を移動する。１つの画像５０を表示するために、フルイメージファイルの一部のみが示される。プロセッサ２０がフルイメージの位置を移動する結果、異なる部分（従って、「異なる」画像）が表示される。
【０１１７】
（Ｃ）表示された画像のコンテンツを入れ替え、そして、必要があれば、画像をリフレッシュする。
【０１１８】
（Ｄ）アプリケーションに基づくもの（例えばFlash、JavaFX、Microsoft Silverlight等）。プロセッサは画像の切り替えを制御するアプリケーションを用いる。この方法はまた、フェード、スライドモーション等のアニメーション効果を可能にする。これらの市販のプログラムの中で、アプリケーションは、遅延、あるいは自動切り替え（時間設定を含む）を含む画像間の切り替えを提供することができる。
【０１１９】
ディスプレイ埋め込みのプロセスは３つの方法のいずれか１つを用いることを含む。
【０１２０】
第1の方法では、インラインフレーム（inline frame)「iframe」が用いられる。インラインフレームは、別のウェブページへのウィンドウとして機能する。「ウィンドウ」がサーバ（プロセッサ）側からのコンテンツを表示している時、画像の表示とインタラクションイベントは、いずれもまだホスト（またはサーバプロセッサ）コードから管理されている。
【０１２１】
埋め込みの第２の方法は、コードスニペット／スクリプト（code snippet/script）を用いる。この方法において、「エンベッダー」は、そのウェブサイトに埋め込むためのコードまたはスクリプトを与えられる。提供された埋め込みコードは、ディスプレイの相互作用および画像の切り替えを扱う（指示を提供する）。この方法においては、表示すべき画像はホストまたはサーバコンピュータから引かれる。
【０１２２】
埋め込みの第３の方法においては、例えばFlash、JavaFX、Microsoft Silverlight等の市販のウェブアプリケーションまたはRich Internet Application (RIA)を用いる。このアプリケーションに基づく方法を用いれば、アプリケーションが表示された画像の切り替えを制御する。このアプリケーションに基づく方法では、これらのプログラムで利用可能な特徴を利用できる。例えば、フェードアニメーションのような、異なる画像の表示間に効果を加える、等である。
【０１２３】
本発明における複数画像の寸法を適合させ、操作後画像５０を共通フレーム１００内に１つずつ表示する方法において、プロセスをユーザ側とホストまたはサーバプロセッサ側から記述することができる。
【０１２４】
創作ユーザの側から見ると、創作ユーザは複数の画像入力を提供する。ここで、入力画像のソースは以下を含み得る。直接のアップロード；ホストまたはサーバプロセッサが後でダウンロードできるように遠隔（remote）のＵＲＬを提供する；ホストまたはサーバプロセッサに既に存在している画像を選択する；または、創作ユーザのデバイスに接続されたカメラまたはスマートフォン等の画像獲得装置からの視覚情報を伝達する。この視覚情報は、ホストまたはサーバプロセッサ側において、コンピュータ記憶装置等に画像として保存してよい。
【０１２５】
ホストまたはサーバプロセッサ２０の側から見ると、複数の画像を受け取る。ここで、画像は、直接のアップロード；サーバ（プロセッサ）が後でダウンロードするためのリモートＵＲＬ；サーバシステムに既に存在している画像の選択；創作ユーザのデバイスに接続されたカメラからの視覚情報の伝達（この視覚情報は、サーバ側で画像として保存してよい）、によってもたらされる。
【０１２６】
そして、プロセッサ２０は、上述の処理の１つ等によって、互いの高さおよび幅の寸法を合わせるために、入力画像を操作する。
【０１２７】
プロセッサ２０は、後で視聴、共有、および／または編集できるように、操作後画像５０をコンピュータ記憶装置４０に保存し、ホストする。
【０１２８】
プロセッサ２０は、同様の寸法にした操作後画像を共通フレーム（表示コンテナ）内に表示する。上述のように、プロセッサは、ユーザが、共通フレーム（表示コンテナ）に現在表示中の画像を変更または切り替えできるような環境を提供する。
【０１２９】
プロセッサ２０は、視聴者（ユーザ）のトリガアクションによって表示画像を切り替える様々な方法のいずれか１つを用いる。トリガアクションとは、視聴者が画像領域内、コンテナ領域内、あるいは、別にセットされてディスプレイと結ばれたオブジェクト上にマウスポインタを乗せたり、クリックしたりすること等である。上記オブジェクトとしては、表示コンテナの外に配置された「画像切り替え」ボタン等がある。
【０１３０】
これらの方法は、重なり合う画像の可視性の切り替えを含む。これらの重なり合う画像５０は、（ｉ）別々の画像ファイルまたは（ii）同一の画像ファイルから表示された異なる部分であってよい。
【０１３１】
可視性の切り替えは、以下によって行うことができる。（ｉ）一番上の画像の可視性をオンに切り替え、下の画像を覆うようにする。（ii）一番上の画像の可視性をオフに切り替え、下の画像が見えるようにする。（iii）両方の画像の可視性を、一方がオンの時は他方がオフになるように切り替える。
【０１３２】
あるいは、表示の切り替えは、複数の画像を含む単一の画像ファイル（別称、画像スプライト）の位置を移動することによって、行うことができる。１つの画像を表示するために、フルイメージファイルの一部のみが共通フレーム内に示される。フルイメージの位置を移動する結果、異なる部分が表示され、従って、ユーザには異なる画像が見えるようになる。
【０１３３】
さらに、表示された画像のコンテンツを入れ替え、そして、必要があれば、画像をリフレッシュすることによって、表示画像５０の切り替えを行うことができる。
【０１３４】
市販のアプリケーションに基づくもの（例えばFlash、JavaFX、Microsoft Silverlight）によっても、表示画像の切り替えを行うことができる。このようなアプリケーションに基づく方法においては、アプリケーションが画像の切り替えを行う。また、フェード、スライドモーション等のアニメーション効果、遅延または自動切り替えを含む付加的効果を提供することができる。
【０１３５】
プロセッサによる処理の後、ユーザ（視聴者）の側から見ると、ユーザは共通フレーム（表示コンテナ）内の１組の画像の中から、ある画像を見ることができる。
【０１３６】
ユーザはさらに、共通フレーム１００のエレメントまたは周りを取り囲むページとやり取りして、操作された画像の組の中から、共通フレーム内に現在表示されている画像を変更することができる。
【０１３７】
ユーザに利用可能な表示画像の切り替え方法は、トリガアクションを含む。ここで、トリガアクションとは、ユーザが画像領域内、コンテナ領域内、あるいは、別にセットされてディスプレイと結ばれたオブジェクト上にマウスポインタを乗せたり、クリックしたりすること等である。このオブジェクトは、表示コンテナの外に配置された「画像切り替え」ボタン等である。
【０１３８】
こうして、ユーザは重なり合う画像の可視性を切り替えることができる。これらの重なり合う画像は、（ｉ）別々の画像ファイルまたは（ii）同一の画像ファイルから表示された異なる部分であってよい。
【０１３９】
見える画像５０の切り替えは、以下によって行うことができる。（ｉ）一番上の画像の可視性をオンに切り替え、下の画像を覆うようにする。（ii）一番上の画像の可視性をオフに切り替え、下の画像が見えるようにする。（iii）両方の画像の可視性を、一方がオンの時は他方がオフになるように切り替える。
【０１４０】
表示された画像は、複数の画像を含む一つの画像ファイル（別称、画像スプライト）の位置を移動することによって、切り替えることができる。１つの画像を表示するために、フルイメージファイルの一部のみが共通フレーム１００内に示され、フルイメージの位置を移動すると、共通フレームにフルイメージの異なる部分が表示される。
【０１４１】
あるいは、表示画像のコンテンツを入れ替え、必要があれば画像をリフレッシュすることによって、表示画像５０の切り替えを行うことができる。
【０１４２】
さらに、市販のアプリケーションに基づくプログラム（例えばFlash、JavaFX、Microsoft Silverlight等）によっても、表示画像の切り替えを行うことができる。このようなアプリケーションに基づく方法においては、市販のアプリケーションが、画像の切り替えを行い、フェード、スライドモーション等のアニメーション効果を可能にし、遅延または自動切り替えを含むようにすることも可能である。
【０１４３】
このように、本システムは、埋め込み可能なコードを共通フレーム１００、第１画像、および第２画像と関連づけることにより、視聴者の入力に応答して、共通フレーム内で逐次表示できるようにし、また、遠隔の視聴者の入力に応答して、遠隔のディスプレイの共通フレーム内に１つずつ表示できるように、ホストのコンピュータまたはプロセッサから第１画像と第２画像を提供する。以下に述べるとおり、プロセッサ２０はコンピュータとして記載されているが、本開示の範囲はそれに限定されない。
【０１４４】
コンピュータの特定の位置に依存して、本システムは、第1コンピュータで、第２コンピュータの埋め込みＵＲＬ（アドレス）からのリクエストを受け取り、第２コンピュータでの視聴者の入力に応答して、第２コンピュータから第1コンピュータへ第１画像と第２画像を１つずつ送り、第２コンピュータの共通フレーム内に表示する。
本システムはまた、第1コンピュータで、第２コンピュータの埋め込みＵＲＬ（アドレス）からのリクエストを受け取る工程と、第２コンピュータから第１コンピュータへ第１画像と第２画像を送る工程と、第１コンピュータで少なくとも一時的に第１画像と第２画像を保存する工程と、第２コンピュータでの視聴者の入力に応答して、第２コンピュータで、第１の保存された画像と第２の保存された画像を、１つずつ共通フレーム内に表示する工程とを含む方法を、提供する。
【０１４５】
図１５を参照すると、プロセッサ２０は、共通フレームにおける操作後画像の使用または表示を監視し、その結果として、広告等のコンテンツを視聴ユーザに提供することができる。サーバプロセッサは、（ｉ）第1の操作後画像、（ii）第２の操作後画像、または（iii）第1の操作後画像と第２の操作後画像との組合せ、の表示回数を数えることができる。このように、サーバプロセッサ２０は、視聴ユーザが共通フレーム内で操作後画像を切り替える回数を数えることができる。この切り替えのカウントが所定の値に達すると、サーバプロセッサ２０は共通フレーム内に広告表示を提供できる。この広告は所定の時間留まることができ、あるいは、ディスプレイの一部をクリックする等の視聴ユーザのアクションによって、消去できる。
【０１４６】
さらなる構成においては、割り当てられた確率に対応して、広告を表示することができる。このように、乱数発生器に選択的にポーリングして、その結果得られた数を所定の値と比較して、その比較結果に依存して広告を表示することができる。
【０１４７】
広告の表示に際して、サーバプロセッサは広告を（ｉ）共通フレーム内、（ii）共通フレームの少なくとも一部と重ねて、または（iii）共通フレームの背景画像の一部として配置することができる。
【０１４８】
本発明を特定の実施形態に関連して記載してきたが、発明の範囲を記載した特定の形に限定するものではない。添付の特許請求の範囲によって定義された本発明の精神および範囲を逸脱しない限り、代替物、変更、等価物を含むものである。
【図７Ａ】
2015535346.tif 000003
【図７Ｂ】
2015535346.tif 000004
【図７Ｃ】
2015535346.tif 000005
【図７Ｄ】
2015535346.tif 000006
【図７Ｅ】
2015535346.tif 000007
【図９Ａ】
2015535346.tif 000008
【図９Ｂ】
2015535346.tif 000009
【図９Ｃ】
2015535346.tif 000010
【図９Ｄ】
2015535346.tif 000011
【図９Ｅ】
2015535346.tif 000012
【図９Ｆ】
2015535346.tif 000013
【図１】
2015535346.tif 000014
【図２】
2015535346.tif 000015
【図３】
2015535346.tif 000016
【図４】
2015535346.tif 000017
【図５Ａ】
2015535346.tif 000018
【図５Ｂ】
2015535346.tif 000019
【図６Ａ】
2015535346.tif 000020
【図６Ｂ】
2015535346.tif 000021
【図８Ａ】
2015535346.tif 000022
【図８Ｂ】
2015535346.tif 000023
【図８Ｃ】
2015535346.tif 000024
【図８Ｄ】
2015535346.tif 000025
【図８Ｅ】
2015535346.tif 000026
【図８Ｆ】
2015535346.tif 000027
【図１０】
2015535346.tif 000028
【図１１】
2015535346.tif 000029
【図１２】
2015535346.tif 000030
【図１３】
2015535346.tif 000031
【図１４】
2015535346.tif 000032
【図１５】
2015535346.tif 000033
【図１６】
2015535346.tif 000034
【図１７】
2015535346.tif 000035
【図１８】
2015535346.tif 000036
【図１９】
2015535346.tif 000037
【図２０】
2015535346.tif 000038
【図２１】
2015535346.tif 000039
【図２２】
2015535346.tif 000040
【図２３】
2015535346.tif 000041
【図２４】
2015535346.tif 000042
【図２５】
2015535346.tif 000043
【国際調査報告】
2015535346.tif 000044
2015535346.tif 000045